(57)【要約】【課題】用紙の処理に要する印刷材の消費量を低減できる読取装置を提供すること。【解決手段】読取装置１２は、用紙を読み取る読取部１４と、読取部を制御する制御部１８と、を備え、制御部は、読取部が読み取った用紙の画像データから用紙に記載された文字を認識し、用紙に記載された文字が別の文字に見えるように用紙に対して印刷装置１３に上書きさせる上書きデータを生成する。【選択図】図２
2020162088.tif 000002
【特許請求の範囲】
【請求項１】
用紙を読み取る読取部と、
前記読取部を制御する制御部と、を備え、
前記制御部は、
前記読取部が読み取った前記用紙の画像データから前記用紙に記載された文字を認識し、
前記用紙に記載された文字が別の文字に見えるように前記用紙に対して印刷装置に上書きさせる上書きデータを生成することを特徴とする読取装置。
【請求項２】
前記制御部は、前記画像データから認識される認識文字と前記認識文字の置換先となる置換先文字とが１対１で対応するテーブルを記憶し、前記テーブルに基づいて前記上書きデータを生成することを特徴とする請求項１に記載の読取装置。
【請求項３】
前記テーブルにおける前記認識文字と前記置換先文字との対応は、ユーザーによって設定可能とされることを特徴とする請求項２に記載の読取装置。
【発明の詳細な説明】
【技術分野】
【０００１】
本発明は、読取装置に関する。
【背景技術】
【０００２】
特許文献１には、機密用紙を処理する機密用紙処理装置が記載されている。この機密用紙処理装置は、機密用紙を読み取る読取装置と、機密情報を示す記載を塗り潰す印刷装置とを有する。読取装置が機密用紙を読み取ることによって、機密用紙において機密情報が記載された箇所が把握される。印刷装置は、機密情報が記載された箇所を印刷材で塗り潰す。このように機密用紙が処理されることによって、機密情報の漏洩が抑制される。
【先行技術文献】
【特許文献】
【０００３】
【特許文献１】特開２００６−１７４１７２号公報
【発明の概要】
【発明が解決しようとする課題】
【０００４】
特許文献１に記載された機密用紙処理装置においては、機密情報を示す文字を塗り潰すため、印刷装置による印刷材の消費が大きい。すなわち、機密用紙の処理に要する印刷材の消費量が多い。
【課題を解決するための手段】
【０００５】
上記課題を解決する読取装置は、用紙を読み取る読取部と、前記読取部を制御する制御部と、を備え、前記制御部は、前記読取部が読み取った前記用紙の画像データから前記用紙に記載された文字を認識し、前記用紙に記載された文字が別の文字に見えるように前記用紙に対して印刷装置に上書きさせる上書きデータを生成する。
【図面の簡単な説明】
【０００６】
【図１】読取装置及び印刷装置を備える用紙処理装置の一実施形態を示す斜視図。
【図２】用紙処理装置の電気的構成を示すブロック図。
【図３】制御部が記憶するテーブルを示す模式図。
【図４】制御部が生成する補完要素を示す模式図。
【図５】用紙の処理の流れを示す模式図。
【図６】供給トレイ及び排出トレイが開いた状態における読取装置の斜視図。
【図７】供給トレイ及び排出トレイが開いた状態における読取装置の右側面図。
【図８】図６とは異なる角度から見た読取装置の斜視図。
【図９】供給トレイ及び排出トレイが開いた状態における読取装置の左側面図。
【図１０】供給トレイ及び排出トレイが開いた状態における読取装置の平面図。
【図１１】供給トレイ及び排出トレイが開いた状態における読取装置の正面図。
【図１２】供給トレイ及び排出トレイが開いた状態における読取装置の底面図。
【図１３】供給トレイ及び排出トレイが開いた状態における読取装置の背面図。
【図１４】供給トレイ及び排出トレイが閉じた状態における読取装置の斜視図。
【図１５】供給トレイ及び排出トレイが閉じた状態における読取装置の右側面図。
【図１６】図１４とは異なる角度から見た読取装置の斜視図。
【図１７】供給トレイ及び排出トレイが閉じた状態における読取装置の左側面図。
【図１８】供給トレイ及び排出トレイが閉じた状態における読取装置の平面図。
【図１９】供給トレイ及び排出トレイが閉じた状態における読取装置の正面図。
【図２０】供給トレイ及び排出トレイが閉じた状態における読取装置の底面図。
【図２１】供給トレイ及び排出トレイが閉じた状態における読取装置の背面図。
【図２２】収納状態における読取装置の斜視図。
【図２３】平置き状態における読取装置の斜視図。
【図２４】読取装置の第１変更例を示す斜視図。
【図２５】読取装置の第２変更例を示す斜視図。
【図２６】読取装置の第３変更例を示す斜視図。
【図２７】第３変更例における読取装置の左側面図。
【図２８】第３変更例における読取装置の平面図。
【図２９】第３変更例における読取装置の正面図。
【図３０】読取装置の第４変更例を示す斜視図。
【図３１】読取装置の第５変更例を示す斜視図。
【図３２】読取装置の第６変更例を示す斜視図。
【図３３】読取装置の第７変更例を示す斜視図。
【図３４】読取装置の第８変更例を示す左側面図。
【図３５】読取装置の第９変更例を示す左側面図。
【図３６】読取装置の第１０変更例を示す左側面図。
【図３７】読取装置の第１１変更例を示す左側面図。
【図３８】読取装置の第１２変更例を示す左側面図。
【図３９】読取装置の第１３変更例を示す左側面図。
【図４０】読取装置の第１４変更例を示す左側面図。
【図４１】読取装置の第１５変更例を示す左側面図。
【図４２】読取装置の第１６変更例を示す左側面図。
【図４３】読取装置の第１７変更例を示す左側面図。
【図４４】読取装置の第１８変更例を示す左側面図。
【発明を実施するための形態】
【０００７】
以下、読取装置及び印刷装置を備える用紙処理装置の一実施形態について図を参照しながら説明する。読取装置は、例えばスキャナーである。印刷装置は、例えば、印刷材の一例であるインクを用紙に吐出することによって、文字、写真等の画像を記録するインクジェット式のプリンターである。
【０００８】
図１に示すように、用紙処理装置１１は、読取装置１２と、印刷装置１３とを備える。用紙処理装置１１は、読取装置１２が読み取った用紙９９に印刷装置１３が印刷することによって、用紙９９を処理する。
【０００９】
用紙９９には、機密情報が記載されている場合がある。用紙処理装置１１は、こうした機密情報が記載された用紙９９に印刷装置１３が印刷する、すなわち用紙９９に上書きすることによって、用紙９９を処理する。用紙９９を処理することによって、用紙９９に記載された機密情報が第三者に漏洩するおそれが低減される。
【００１０】
用紙処理装置１１において、読取装置１２及び印刷装置１３は、通信可能に接続される。本実施形態においては、読取装置１２及び印刷装置１３が互いに連結されることによって、読取装置１２及び印刷装置１３が互いに通信可能となる。読取装置１２は、印刷装置１３と連結されていない単独の状態でも用紙９９を読取可能である。印刷装置１３は、読取装置１２と連結されていない単独の状態でも用紙９９に印刷可能である。
【００１１】
読取装置１２は、用紙９９を読み取る読取部１４を備える。読取部１４は、例えばイメージセンサーを含む。印刷装置１３は、用紙９９に印刷する印刷部１５を備える。印刷部１５は、例えばインクを吐出するヘッドを含む。
【００１２】
用紙処理装置１１において、用紙９９は、読取装置１２、印刷装置１３の順に通過する。用紙処理装置１１において、用紙９９は、読取装置１２と印刷装置１３とが備える図示しないローラーによって搬送される。用紙処理装置１１において、用紙９９は、まず読取装置１２の供給口１６から供給される。用紙９９は、読取装置１２によって読み取られた後に、印刷装置１３によって印刷される。印刷された用紙９９は、処理済みの用紙９９として印刷装置１３の排紙口１７から排出される。
【００１３】
図２に示すように、読取装置１２は、読取部１４を制御する制御部１８を備える。本実施形態の制御部１８は、読取装置１２を統括的に制御する。制御部１８は、例えばＣＰＵとメモリーとを含む。制御部１８は、メモリーに記憶されるプログラムをＣＰＵが実行することによって、読取装置１２を制御する。
【００１４】
印刷装置１３は、印刷部１５を制御する印刷制御部１９を備える。本実施形態の印刷制御部１９は、印刷装置１３を統括的に制御する。印刷制御部１９は、例えばＣＰＵとメモリーとを含む。印刷制御部１９は、メモリーに記憶されるプログラムをＣＰＵが実行することによって、印刷装置１３を制御する。
【００１５】
制御部１８は、読取部１４が用紙９９を読み取ることによって、用紙９９の画像データを取得する。制御部１８は、読取部１４が読み取った用紙９９の画像データから用紙９９に記載された文字を認識する。制御部１８は、例えば光学文字認識、いわゆるＯＣＲによって、用紙９９に記載された文字を認識する。
【００１６】
制御部１８は、用紙９９に記載された文字が別の文字に見えるように用紙９９に対して印刷装置１３に上書きさせる上書きデータを生成する。制御部１８は、上書きデータを生成した後、その上書きデータを印刷制御部１９に送信する。印刷制御部１９は、上書きデータを受信すると、上書きデータに基づいて印刷部１５を制御する。これにより、読取部１４が読み取った用紙９９に印刷部１５が上書きする。
【００１７】
上書きデータに基づいて印刷装置１３が用紙９９に上書きすると、用紙９９に記載されていた文字が別の文字に置き換えられる。これにより、用紙９９に記載される文章が第三者に読み取られにくくなる。文字を塗り潰すことによって用紙９９を処理する場合よりも、用紙９９に記載された文字を別の文字に置き換えることによって用紙９９を処理する場合の方が、印刷材の消費が少なく済む。すなわち、用紙９９の処理に要する印刷材の消費量を低減できる。
【００１８】
本実施形態の制御部１８は、画像データから認識される認識文字と、認識文字の置換先となる置換先文字とが１対１で対応するテーブルを記憶する。制御部１８は、テーブルに基づいて上書きデータを生成する。上書きデータを受信した印刷装置１３は、用紙９９に記載された認識文字が置換先文字に見えるように、用紙９９に上書きする。
【００１９】
図３に示すように、テーブルにおいて、認識文字と置換先文字とが１対１で対応している。本実施形態においては、認識文字の一例として、「Ｂ」、「Ｔ」、「Ｏ」、「予」、「１」、「円」がテーブルに示されている。本実施形態においては、置換先文字の一例として、「日」、「江」、「ハングル文字のア」、「豫」、「種」、「田」がテーブルに示されている。
【００２０】
テーブルにおいて、「Ｂ」と「日」とが対応している。テーブルにおいて、「Ｔ」と「江」とが対応している。テーブルにおいて、「Ｏ」と「ハングル文字のア」とが対応している。テーブルにおいて、「予」が「豫」と対応している。テーブルにおいて、「１」と「種」とが対応している。テーブルにおいて、「円」と「田」とが対応している。
【００２１】
制御部１８は、例えば用紙９９の画像データから「Ｂ」という文字を認識した場合、「Ｂ」という文字がその置換先である「日」という文字に見えるように用紙９９に上書きさせる上書きデータを生成する。制御部１８は、例えば用紙９９の画像データから「Ｔ」という文字を認識した場合、「Ｔ」という文字がその置換先である「江」という文字に見えるように用紙９９に上書きさせる上書きデータを生成する。
【００２２】
テーブルに基づいて上書きデータを生成する場合、ユーザーは、テーブルの内容を把握していれば、処理済みの用紙９９に記載された文章を読むことができる。すなわち、第三者には読み取られにくい一方、認識文字と置換先文字との対応関係を把握しているユーザー自身には読取可能に用紙９９が処理される。そのため、使い勝手がよくなる。
【００２３】
テーブルにおける認識文字と置換先文字との対応は、ユーザーによって設定可能とされてもよい。例えば、読取装置１２と通信可能に接続されるパーソナルコンピューターなどの外部装置を通じてテーブルの内容を設定可能とされてもよい。こうすると、認識文字と置換先文字との対応をユーザー自身が設定できるため、使い勝手がよくなる。
【００２４】
図４に示すように、制御部１８は、上書きデータを生成する際、画像データから認識した認識文字とその認識文字と対応する置換先文字とを重ね合わせる。これにより、制御部１８は、認識文字が置換先文字に対して不足する要素である補完要素を生成する。すなわち、認識文字に補完要素を上書きすると、認識文字が置換先文字に置き換わる。例えば、「Ｂ」という認識文字について「日」という置換先文字に対する補完要素を上書きすると、「Ｂ」という認識文字が「日」という置換先文字に置き換わる。画像データから認識したすべての認識文字について補完要素の生成が完了すると、上書きデータの生成が完了する。
【００２５】
図５に示すように、「Ｂ社へのＴＯＢを行う予定である」という原文が記載された用紙９９を処理する場合を考える。制御部１８は、この原文に対する上書きデータを生成する。まず、制御部１８は、用紙９９の画像データから文字を認識する。次に、制御部１８は、画像データから認識した文字の中から、テーブルに含まれる認識文字を抽出する。本実施形態において、この原文のうちテーブルに含まれる認識文字は、「Ｂ」、「Ｔ」、「Ｏ」、「予」である。制御部１８は、抽出した認識文字である「Ｂ」、「Ｔ」、「Ｏ」、「予」について補完要素を生成する。
【００２６】
「Ｂ」、「Ｔ」、「Ｏ」、「予」の補完要素の生成が完了すると、図５に示すような上書きデータの生成が完了する。この上書きデータを印刷装置１３に送信する。上書きデータに基づいて印刷装置１３が原文に上書きすると、図５に示すような置換文が用紙９９に記載される。すなわち、原文が置換文に置き換えられる。このようにして、用紙９９の処理が完了する。
【００２７】
次に、上記実施形態の作用及び効果について説明する。
（１）制御部１８は、読取部１４が読み取った用紙９９の画像データから用紙９９に記載された文字を認識し、用紙９９に記載された文字が別の文字に見えるように、用紙９９に対して印刷装置１３に上書きさせる上書きデータを生成する。上書きデータに基づいて印刷装置１３が用紙９９に上書きすると、用紙９９に記載されていた文字が別の文字に置き換えられる。これにより、用紙９９に記載される文章が読み取られにくくなる。文字を塗り潰すことによって用紙９９を処理する場合よりも、用紙９９に記載された文字を別の文字に置き換えることによって用紙９９を処理する場合の方が、印刷材の消費が少なく済む。このように、用紙９９の処理に要する印刷材の消費量を低減できる。
【００２８】
（２）制御部１８は、用紙９９に記載された認識文字が置換先文字に見えるように、テーブルに基づいて上書きデータを生成する。こうすると、ユーザーは、テーブルの内容を把握していれば、処理済みの用紙９９に記載された文章を読むことができる。すなわち、第三者には読み取られにくい一方、読取文字と置換先文字との対応関係を把握しているユーザー自身には読取可能に用紙９９が処理される。そのため、使い勝手がよくなる。
【００２９】
（３）テーブルにおける読取文字と置換先文字との対応は、ユーザーによって設定可能とされる。こうすると、読取文字と置換先文字との対応をユーザー自身が設定できるため、使い勝手がよくなる。
【００３０】
次に、読取装置１２の具体的な構成について説明する。
図６、図７、図８、図９、図１０、図１１、図１２及び図１３に示すように、読取装置１２は、筐体２１を備える。筐体２１は、読取部１４を収容する。筐体２１は、読取前の用紙９９が供給される供給口１６と、読取後の用紙９９が排出される排出口２２とを有する。
【００３１】
読取装置１２は、筐体２１を支持する基台２３を備える。筐体２１は、基台２３に対して回転可能に取り付けられる。筐体２１が基台２３に対して回転することによって、筐体２１の姿勢が変わる。
【００３２】
読取装置１２は、読取前の用紙９９がセットされる供給トレイ２４を備える。供給トレイ２４にセットされた用紙９９は、供給口１６を通じて筐体２１内に搬送される。供給トレイ２４は、筐体２１に対して開閉可能に構成される。図６、図７、図８、図９、図１０、図１１、図１２及び図１３において、供給トレイ２４は開いた状態である。
【００３３】
読取装置１２は、読取後の用紙９９が積載される排出トレイ２５を備える。排出口２２から排出される用紙９９は、排出トレイ２５に積載される。排出トレイ２５は、筐体２１に対して開閉可能に構成される。図６、図７、図８、図９、図１０、図１１、図１２及び図１３において、排出トレイ２５は開いた状態である。本実施形態において、開いた状態の排出トレイ２５上に印刷装置１３が置かれることによって、読取装置１２と印刷装置１３とが通信可能に接続される。
【００３４】
読取装置１２は、表示部２６を備える。表示部２６は、読取装置１２に関する情報を表示する。表示部２６は、例えば液晶画面である。表示部２６は、タッチパネルでもよい。本実施形態の表示部２６は、筐体２１に設けられる。
【００３５】
図１４、図１５、図１６、図１７、図１８、図１９、図２０及び図２１に示すように、供給トレイ２４は、閉じられることによって、筐体２１のカバーとして機能する。すなわち、図１４、図１５、図１６、図１７、図１８、図１９、図２０及び図２１において、供給トレイ２４は閉じた状態である。閉じた状態の供給トレイ２４は、供給口１６を覆う。
【００３６】
排出トレイ２５は、閉じられることによって、筐体２１を覆うカバーとして機能する。すなわち、図１４、図１５、図１６、図１７、図１８、図１９、図２０及び図２１において、排出トレイ２５は閉じた状態である。閉じた状態の排出トレイ２５は、表示部２６を覆う。
【００３７】
図２２に示すように、供給トレイ２４及び排出トレイ２５の双方が閉じた状態で筐体２１を基台２３に対して回転させると、読取装置１２は、収納に適した収納状態となる。具体的には、閉じた状態の排出トレイ２５が鉛直に延びる姿勢となるように筐体２１を回転させることによって、読取装置１２が収納状態となる。
【００３８】
図２３に示すように、供給トレイ２４及び排出トレイ２５の双方が開いた状態で筐体２１を基台２３に対して回転させると、読取装置１２は、平置き状態となる。具体的には、開いた状態の供給トレイ２４が水平に延びる姿勢となるように筐体２１を回転させることによって、読取装置１２が平置き状態となる。
【００３９】
本実施形態は、以下のように変更して実施することができる。本実施形態及び以下の変更例は、技術的に矛盾しない範囲で互いに組み合わせて実施することができる。
・図２４に示すように、排出トレイ２５の形状を変更してもよい。この第１変更例における読取装置１２の左側面は、右側面と対称な形状とされている。また、排出トレイ２５の形状は、短手方向においては図２４に示した以外の長さでもよく、たとえば図２４に示す短手方向の長さから１／２の長さの範囲であってもよい。
【００４０】
・図２５に示すように、排出トレイ２５の形状を変更してもよい。この第２変更例における読取装置１２の左側面は、右側面と対称な形状とされている。
・図２５に示すように、排出トレイ２５に表示部２６を設けてもよい。この第２変更例における表示部２６は、例えば、排出トレイ２５において用紙９９が積載される面とは反対の面に設けられる。こうすると、表示部２６は、排出トレイ２５が閉じた状態で情報を表示できる。筐体２１及び排出トレイ２５の双方に表示部２６を設けてもよい。また、排出トレイ２５の形状は、短手方向においては図２５に示した以外の長さでもよく、たとえば図２５に示す短手方向の長さから１／２の長さの範囲であってもよい。
【００４１】
・図２６、図２７、図２８及び図２９に示すように、読取装置１２の形態を変更してもよい。この第３変更例における読取装置１２は、排出トレイ２５を備えない構成である。第３変更例における読取装置１２の右側面は、図２７に示す左側面と対称な形状とされている。すなわち、図２７を左右反転させた図が、第３変更例における読取装置１２の右側面図となる。
【００４２】
第３変更例において、供給トレイ２４は、第１部材３１、第２部材３２及び第３部材３３によって構成される。第１部材３１は、筐体２１に固定される。第２部材３２は、第１部材３１に連結される。第３部材３３は、第２部材３２に連結される。図２６において、供給トレイ２４は、開いた状態である。図２７、図２８及び図２９において、供給トレイ２４は、閉じた状態である。また、供給トレイ２４の形状は、短手方向においては図２６、図２７、図２８及び図２９に示した以外の長さでもよく、たとえば図２６、図２７、図２８及び図２９に示す短手方向の長さから１／２の長さの範囲であってもよい。
【００４３】
供給トレイ２４が閉じた状態において、第２部材３２は、供給口１６を覆う。供給トレイ２４が閉じた状態において、第３部材３３は、筐体２１に設けられる表示部２６を覆う。
【００４４】
・図３０に示すように、読取装置１２の形態を変更してもよい。第４変更例における読取装置１２の右側面は、左側面と対称な形状とされている。また、第３部材３３は、短手方向においては図３０に示した以外の長さでもよく、たとえば図３０に示す短手方向の長さから１／２の長さの範囲であってもよい。
【００４５】
・図３１に示すように、読取装置１２の形態を変更してもよい。第５変更例における読取装置１２の右側面は、左側面と対称な形状とされている。また、第３部材３３は、短手方向においては図３１に示した以外の長さでもよく、たとえば図３１に示す短手方向の長さから１／２の長さの範囲であってもよい。
【００４６】
・図３２に示すように、読取装置１２の形態を変更してもよい。第６変更例における読取装置１２の右側面は、左側面と対称な形状とされている。この第６変更例において、供給トレイ２４は、第２部材３２と第３部材３３とによって構成される。そのため、第２部材３２は、筐体２１と第３部材３３とに連結される。また、第３部材３３は、短手方向においては図３２に示した以外の長さでもよく、たとえば図３２に示す短手方向の長さから１／２の長さの範囲であってもよい。
【００４７】
・図３３に示すように、読取装置１２の形態を変更してもよい。第７変更例における読取装置１２の右側面は、左側面と対称な形状とされている。また、第３部材３３は、短手方向においては図３３に示した以外の長さでもよく、たとえば図３３に示す短手方向の長さから１／２の長さの範囲であってもよい。
【００４８】
・図３４に示すように、読取装置１２の形態を変更してもよい。第８変更例における読取装置１２の右側面は、左側面と対称な形状とされている。すなわち、図３４を左右反転させた図が、第８変更例における読取装置１２の右側面図となる。また、第３部材３３は、短手方向においては図３４に示した以外の長さでもよく、たとえば図３４に示す短手方向の長さから１／２の長さの範囲であってもよい。
【００４９】
・図３５に示すように、読取装置１２の形態を変更してもよい。第９変更例における読取装置１２の右側面は、左側面と対称な形状とされている。すなわち、図３５を左右反転させた図が、第９変更例における読取装置１２の右側面図となる。また、第３部材３３は、短手方向においては図３５に示した以外の長さでもよく、たとえば図３５に示す短手方向の長さから１／２の長さの範囲であってもよい。
【００５０】
・図３６に示すように、読取装置１２の形態を変更してもよい。第１０変更例における読取装置１２の右側面は、左側面と対称な形状とされている。すなわち、図３６を左右反転させた図が、第１０変更例における読取装置１２の右側面図となる。また、第３部材３３は、短手方向においては図３６に示した以外の長さでもよく、たとえば図３６に示す短手方向の長さから１／２の長さの範囲であってもよい。
【００５１】
・図３７に示すように、読取装置１２の形態を変更してもよい。第１１変更例における読取装置１２の右側面は、左側面と対称な形状とされている。すなわち、図３７を左右反転させた図が、第１１変更例における読取装置１２の右側面図となる。また、第３部材３３は、短手方向においては図３７に示した以外の長さでもよく、たとえば図３７に示す短手方向の長さから１／２の長さの範囲であってもよい。
【００５２】
・図３８に示すように、読取装置１２の形態を変更してもよい。第１２変更例における読取装置１２の右側面は、左側面と対称な形状とされている。すなわち、図３８を左右反転させた図が、第１２変更例における読取装置１２の右側面図となる。また、第３部材３３は、短手方向においては図３８に示した以外の長さでもよく、たとえば図３８に示す短手方向の長さから１／２の長さの範囲であってもよい。
【００５３】
・図３９に示すように、読取装置１２の形態を変更してもよい。第１３変更例における読取装置１２の右側面は、左側面と対称な形状とされている。すなわち、図３９を左右反転させた図が、第１３変更例における読取装置１２の右側面図となる。また、第３部材３３は、短手方向においては図３９に示した以外の長さでもよく、たとえば図３９に示す短手方向の長さから１／２の長さの範囲であってもよい。
【００５４】
・図４０に示すように、読取装置１２の形態を変更してもよい。第１４変更例における読取装置１２の右側面は、左側面と対称な形状とされている。すなわち、図４０を左右反転させた図が、第１４変更例における読取装置１２の右側面図となる。また、第３部材３３は、短手方向においては図４０に示した以外の長さでもよく、たとえば図４０に示す短手方向の長さから１／２の長さの範囲であってもよい。
【００５５】
・図４１に示すように、読取装置１２の形態を変更してもよい。第１５変更例における読取装置１２の右側面は、左側面と対称な形状とされている。すなわち、図４１を左右反転させた図が、第１５変更例における読取装置１２の右側面図となる。また、第３部材３３は、短手方向においては図４１に示した以外の長さでもよく、たとえば図４１に示す短手方向の長さから１／２の長さの範囲であってもよい。
【００５６】
・図４２に示すように、読取装置１２の形態を変更してもよい。第１６変更例における読取装置１２の右側面は、左側面と対称な形状とされている。すなわち、図４２を左右反転させた図が、第１６変更例における読取装置１２の右側面図となる。また、第３部材３３は、短手方向においては図４２に示した以外の長さでもよく、たとえば図４２に示す短手方向の長さから１／２の長さの範囲であってもよい。
【００５７】
・図４３に示すように、読取装置１２の形態を変更してもよい。第１７変更例における読取装置１２の右側面は、左側面と対称な形状とされている。すなわち、図４３を左右反転させた図が、第１７変更例における読取装置１２の右側面図となる。また、第３部材３３は、短手方向においては図４３に示した以外の長さでもよく、たとえば図４３に示す短手方向の長さから１／２の長さの範囲であってもよい。
【００５８】
・図４４に示すように、読取装置１２の形態を変更してもよい。第１８変更例における読取装置１２の右側面は、左側面と対称な形状とされている。すなわち、図４４を左右反転させた図が、第１８変更例における読取装置１２の右側面図となる。また、第３部材３３は、短手方向においては図４４に示した以外の長さでもよく、たとえば図４４に示す短手方向の長さから１／２の長さの範囲であってもよい。
【００５９】
・印刷材は、インクに限らずトナーでもよい。すなわち、印刷装置１３は、インクジェット式のプリンターに限らず、トナージェット式のプリンターでもよい。
・印刷部１５は、サーマルヘッドでもよい。
【００６０】
・読取装置１２は、筐体２１内に印刷部１５を備えてもよい。この場合、読取装置１２は、用紙９９の読取と用紙９９への印刷とが可能な複合機として機能する。
以下に、上述した実施形態及び変更例から把握される技術的思想及びその作用効果を記載する。
【００６１】
（Ａ）読取装置は、用紙を読み取る読取部と、前記読取部を制御する制御部と、を備え、前記制御部は、前記読取部が読み取った前記用紙の画像データから前記用紙に記載された文字を認識し、前記用紙に記載された文字が別の文字に見えるように前記用紙に対して印刷装置に上書きさせる上書きデータを生成する。
【００６２】
この構成によれば、上書きデータに基づいて印刷装置が用紙に上書きすると、用紙に記載されていた文字が別の文字に置き換えられる。これにより、用紙に記載される文章が読み取られにくくなる。文字を塗り潰すことによって用紙を処理する場合よりも、用紙に記載された文字を別の文字に置き換えることによって用紙を処理する場合の方が、印刷材の消費が少なく済む。このように、用紙の処理に要する印刷材の消費量を低減できる。
【００６３】
（Ｂ）上記読取装置において、前記制御部は、前記画像データから認識される認識文字と前記認識文字の置換先となる置換先文字とが１対１で対応するテーブルを記憶し、前記テーブルに基づいて前記上書きデータを生成してもよい。
【００６４】
この構成によれば、ユーザーは、テーブルの内容を把握していれば、処理済みの用紙に記載された文章を読むことができる。すなわち、第三者には読み取られにくい一方、読取文字と置換先文字との対応関係を把握しているユーザー自身には読取可能に用紙が処理される。そのため、使い勝手がよくなる。
【００６５】
（Ｃ）上記読取装置において、前記テーブルにおける前記読取文字と前記置換先文字との対応は、ユーザーによって設定可能とされてもよい。
この構成によれば、読取文字と置換先文字との対応をユーザー自身が設定できるため、使い勝手がよくなる。
【符号の説明】
【００６６】
１１…用紙処理装置、１２…読取装置、１３…印刷装置、１４…読取部、１５…印刷部、１６…供給口、１７…排紙口、１８…制御部、１９…印刷制御部、２１…筐体、２２…排出口、２３…基台、２４…供給トレイ、２５…排出トレイ、２６…表示部、３１…第１部材、３２…第２部材、３３…第３部材、９９…用紙。
【図１】
2020162088.tif 000003
【図２】
2020162088.tif 000004
【図３】
2020162088.tif 000005
【図４】
2020162088.tif 000006
【図５】
2020162088.tif 000007
【図６】
2020162088.tif 000008
【図７】
2020162088.tif 000009
【図８】
2020162088.tif 000010
【図９】
2020162088.tif 000011
【図１０】
2020162088.tif 000012
【図１１】
2020162088.tif 000013
【図１２】
2020162088.tif 000014
【図１３】
2020162088.tif 000015
【図１４】
2020162088.tif 000016
【図１５】
2020162088.tif 000017
【図１６】
2020162088.tif 000018
【図１７】
2020162088.tif 000019
【図１８】
2020162088.tif 000020
【図１９】
2020162088.tif 000021
【図２０】
2020162088.tif 000022
【図２１】
2020162088.tif 000023
【図２２】
2020162088.tif 000024
【図２３】
2020162088.tif 000025
【図２４】
2020162088.tif 000026
【図２５】
2020162088.tif 000027
【図２６】
2020162088.tif 000028
【図２７】
2020162088.tif 000029
【図２８】
2020162088.tif 000030
【図２９】
2020162088.tif 000031
【図３０】
2020162088.tif 000032
【図３１】
2020162088.tif 000033
【図３２】
2020162088.tif 000034
【図３３】
2020162088.tif 000035
【図３４】
2020162088.tif 000036
【図３５】
2020162088.tif 000037
【図３６】
2020162088.tif 000038
【図３７】
2020162088.tif 000039
【図３８】
2020162088.tif 000040
【図３９】
2020162088.tif 000041
【図４０】
2020162088.tif 000042
【図４１】
2020162088.tif 000043
【図４２】
2020162088.tif 000044
【図４３】
2020162088.tif 000045
【図４４】
2020162088.tif 000046